(57)【要約】【課題】簡単な構成で吊り下げのための強度を確保すことで、製品の安全性が大幅に向上し、製品品質の優れたレンジフード付高周波加熱装置を提供する。【解決手段】本体機器１を上部の棚１５に固定する構成を有し、機器上面を構成する上面外郭部品２ａは、機器本体１の側面及び底面を構成する外郭部品２ｂとは別部品で構成されると共に加熱室１２に直接固定される構造を有した。【選択図】図２
2006329497.tif 000002
【特許請求の範囲】
【請求項１】
被加熱物を収納する加熱室と、被加熱物を加熱する加熱手段と、前記加熱手段を冷却する冷却手段と、下方に設置された調理機器から発生する生成ガスを換気する循環ファンと、前記循環ファンによって前記生成ガスを取り込む吸気口とからなり、取り込んだ生成ガスを循環ファンによって排気するための開口部を使用者の設置構造に応じて本体機器前面部の室内循環方向又は本体機器上面方向又は本体機器後面方向の３方向いずれかに設定変更可能とし、前記循環ファンを室内循環方向に設定時に風路を導くためのガイドを循環ファン前方に配し、前記本体機器を上部の棚に固定する構成を有し、本体機器上面を構成する上面外郭部品は、前記本体機器の側面及び底面を構成する外郭部品とは別部品で構成されると共に前記加熱室に直接固定される構造を有したレンジフード付き高周波加熱装置。
【請求項２】
本体機器上面で上部の棚に固定する外郭部品に、前記循環ファンや循環ファンの風路を構成する排気風ガイドなどの内部構造部品を取り付けた構成とした請求項１に記載のレンジフード付き高周波加熱装置。
【請求項３】
本体機器上面で上部の棚に固定する外郭部品は、外郭表面に塗装を施さない構成とした請求項１または２に記載のレンジフード付き高周波加熱装置。
【発明の詳細な説明】
【技術分野】
【０００１】
本発明は、高周波加熱装置で機器本体の下方に設置された他の加熱調理装置から発生する生成ガスを室内循環もしくは戸外に排出する機能を有し、使用者独自で前記生成ガス排出口の設定変更を行える構成であるレンジフード付き高周波加熱装置に関するものである。
【背景技術】
【０００２】
従来、レンジフード付高周波加熱装置は本体下方部に設置された調理機器から発生した生成ガスを備えられた循環ファン動作によって本体底面部から吸い込み本体前面上部の排気口から室内循環したり、本体機器上面や後面に外付けのダクトを設置することで排気方向を上面や後面に使用者が容易に設定変更可能な構造を有している（例えば、特許文献１参照）。
【０００３】
また、本体機器は高周波加熱機能と共にレンジフード機能をも備えていることで重量が大きいため上部の棚と後部の壁の両方に固定する手段が一般的である。
【０００４】
本体機器上部の棚との固定には本体上部の外郭部分をビスで吊るす手段が主流である。
【０００５】
図２は、従来主流である本体機器の上部の棚への固定方法を示す。
【０００６】
外郭部品１８ａと１８ｂは本体締め付けビス５で本体機器１に固定され、本体機器１は上部の棚１５と固定ビス４で外郭部品１８ａを介して支持板６に固定設置される。
【特許文献１】米国特許第５９８１９２９号明細書
【発明の開示】
【発明が解決しようとする課題】
【０００７】
しかしながら、前記従来の構成では外郭部品は本体機器の外郭を覆うと共に外観を構成するため薄板の塗装鋼鈑が使用されている。
【０００８】
本体機器を固定するビスを支持板に固定しても支持板は外郭を構成している薄板の塗装鋼鈑に取り付けられているため重量物である本体機器を吊り下げるための強度や、本体機器を吊り下げた時外郭部品の変形に伴い本体機器上部に位置する循環ファンや構造部品を上面外郭部品に固定できなかったり、上面外郭部品と加熱したの間に隙間が生じることで製品性能や品質に悪影響をもたらすという課題があった。
【０００９】
本発明は、前記従来の課題を解決するもので、簡単な構成で安全性や正常な機能確保の大幅な向上が可能となり、安全で高品質なレンジフード付き高周波加熱装置を提供することを目的とする。
【課題を解決するための手段】
【００１０】
前記従来の課題を解決するために、本発明の本体機器上面の外郭構成部品を製品上面部分の構成に留め製品自重を保持できるだけの十分な厚み強度を持たせ、機器の本体である加熱室の前面部分と後面部分に直接固定する構成とすることで本体機器の設置強度の向上が可能となる。
【００１１】
また、本体機器上面の外郭構成部品を製品上面部分の構成に留めることでこの上面部分は設置後使用者から見えなくなり外観部品でなくなることから、塗装の必要もなくなりコストの削減や、電気部品固定時に確実なアースの設置も可能となる。
【発明の効果】
【００１２】
本発明のレンジフード付き高周波加熱装置によれば、十分な強度を確保した上面外郭部品を棚に固定することで、吊り下げのための強度を確保すことができるので、簡単な構成で製品の安全性が大幅に向上し、製品品質の優れたレンジフード付高周波加熱装置が実現できる。
【発明を実施するための最良の形態】
【００１３】
第１の発明は、被加熱物を収納する加熱室と、被加熱物を加熱する加熱手段と、前記加熱手段を冷却する冷却手段と、下方に設置された調理機器から発生する生成ガスを換気する循環ファンと、前記循環ファンによって前記生成ガスを取り込む吸気口とからなり、取り込んだ生成ガスを循環ファンによって排気するための開口部を使用者の設置構造に応じて本体機器前面部の室内循環方向又は本体機器上面方向又は本体機器後面方向の３方向いずれかに設定変更可能とし、前記循環ファンを室内循環方向に設定時に風路を導くためのガイドを循環ファン前方に配し、前記本体機器を上部の棚に固定する構成を有し、本体機器上面を構成する外郭部品は、前記本体機器の側面及び底面を構成する外郭部品とは別部品で構成されると共に前記加熱室に直接固定される構造を有したもので、本体機器上面の外殻構成部品が本体加熱室の固定されることで本体上部の外殻部品の強度ＵＰが可能となり安全性を大幅に改善できる。
【００１４】
第２の発明は、第１の発明の本体機器上面で上部の棚に固定する外郭部品に、前記循環ファンや循環ファンの風路を構成する排気風ガイドなどの内部構造部品を取り付けた構成としたもので、本体機器上面の外殻構成部品は製品自重を支えられるだけの強度を持ち製品両側と切り離した上面部分だけの構成を取ることで室内循環風を導く排気風ガイドや循環ファンなどの内部構成部品を上面の外殻構成部品に取り付けすることが可能となり、本体機器の加熱室より上面部分をブロック化することが可能となるので、製品多様化への対応性向上や製品サービス時の作業性改善が実現できる。
【００１５】
第３の発明は、本体機器上面で上部の棚に固定する外郭部品は、外郭表面に塗装を施さない構成としたもので、本体機器上面の外殻構成部品を上面部分だけの構成にすることで使用者から見えなくなり、塗装が不要となりコスト削減が可能になるだけでなく、加熱室上部の電気構造部品を前記本体機器上面の外殻構成部品に固定することが可能となるため、電気構造部品のアース接地が確実になる。
【００１６】
以下、本発明の実施の形態について、図面を参照しながら説明する。なお、この実施の形態によって本発明が限定されるものではない。
【００１７】
（実施の形態１）
図１は、本発明の実施の形態における本体機器上面の外殻構成部品と取り付け方法を示す正面図、図２は、同じく側面図である。
【００１８】
図１、図２に示すように、レンジフード付き高周波加熱装置は、本体機器１には、下面及び側面の外郭を構成する外郭部品２ｂがビス５により取り付けられ、上部には、循環ファン１０、加熱手段である加熱装置１１、循環ファン１０から前面への風路を構成する排気風ガイド９、冷却ファン１３などがビス８により内装された上面外郭部品２ａがビス７により加熱室１２に取り付けられている。なお、機器本体１の前面上部には循環ファンからの排気口と、冷却ファン吸気口を形成するグリル３が取り付けられている。
【００１９】
このような構成により、本体機器１の下方に設けられた吸気口１７より、調理機器から発生する生成ガスを吸気して循環ファン１０によりグリル３から室内に排気することができる。なお、図示していないが、排気の方向は、循環ファン１０の排気口の方向を変更することで、壁１４に設けた開口部を介して戸外に排気することも可能となっている。
【００２０】
そして、本体機器１は、上面外郭部品２ａを上面の棚１５に本体機器固定用ビス４を用いて固定設置する構成としている。
【００２１】
なお、外殻部品２ｂは使用者の可視部分となるため塗装鋼鈑を用い、更に従来の様に本体機器の重量を支える必要がないので、薄肉の鋼鈑を用いて必要最小限の強度とすることができる。従って、製品の３面の外殻を構成するサイズ的に大きい外郭部品２ｂを薄肉の鋼鈑で構成したのでコスト削減が可能となった。
【００２２】
以上のような構成により、本体機器１上面を上部の棚１５に固定するために固定ビス４を使用するが、本体機器１上面の外殻構成部品２ａを加熱室１２の前面部分と後面部分にビス７で固定することで重量物である本体機器１を棚１５へ安全に固定することが可能となる。
【００２３】
本発明の実施の形態の本体機器上面の上面外殻部品２ａは使用者から見えない機器の上面部分だけを構成するので塗装の必要もなく最小限度のサイズで済むので重量物である本体機器１を支えるのに耐えうるだけの厚みを持たせることで、機器内部の冷却ファン１３や加熱装置１１などの電気部品のアース接地を確実に施して取り付けることが可能となり製品の安全性能が向上できる。
【００２４】
更に、本体機器１上面の上面外殻部品２ａに内部構造部品を取り付けてブロック化することができ製品の組立性能やサービス性能が大幅に改善できる。
【産業上の利用可能性】
【００２５】
以上のように、本発明のレンジフード付高周波加熱装置は、簡単な構成で本体機器上部の棚への設置安定性向上や、構造部品のブロック化で作業性、サービス性向上が可能となるのでハンギングタイプの製品構成等の用途にも適用できる。
【図面の簡単な説明】
【００２６】
【図１】本発明の実施形態１におけるレンジフード付高周波加熱装置の設置状態をを示す側面図
【図２】本発明の実施形態１におけるレンジフード付高周波加熱装置の設置状態をを示す正面図
【図３】従来のレンジフード付高周波加熱装置の上面の棚への設置方法正面図
【符号の説明】
【００２７】
１  本体機器
２ａ  上面外殻部品
２ｂ  外殻部品
９  排気風ガイド
１０  循環ファン
１１  加熱装置（加熱手段）
１２  加熱室
１３  冷却ファン（冷却手段）
１６  調理機器
１７  吸気口
【図１】
2006329497.tif 000003
【図２】
2006329497.tif 000004
【図３】
2006329497.tif 000005